(57)【要約】  【課題】  光ディスク又はビデオテープ等の記録媒体に記録してある動画の検索を行うために、動画からサムネイルを作成して表示する場合に、サムネイルを高速に表示することができ、また、記録媒体を装置に装着しなくてもサムネイルを表示することができる動画記録装置及び動画記録装置を用いてサムネイルを表示するサムネイル表示方法を提供する。  【解決手段】  記録媒体に識別情報を付加し、識別情報とサムネイルとを関連付けて記憶するためのサムネイルメモリ２１を装置本体に備え、動画の記録持にサムネイルを作成してサムネイルメモリ２１に記憶しておくことで、記録媒体が装着された場合にサムネイルをサムネイルメモリから読み出して高速に表示することができ、また、記録媒体を装着しなくてもサムネイルの表示を行うことができる。【選択図】        図２
2006180101.tif 000002
【特許請求の範囲】
【請求項１】
動画を取得する取得手段と、記録媒体を装着する装着部と、該装着部に装着された記録媒体に前記取得手段が取得した動画を記録する動画記録手段とを備える動画記録装置において、
前記取得手段が取得した動画に基づきサムネイルを作成する作成手段と、
前記装着部に装着された記録媒体に識別情報を記録する識別情報記録手段と、
前記作成手段が作成したサムネイル及び前記識別情報記録手段が記録した識別情報を対応付けて記憶するメモリと、
記録媒体から識別情報を読み出す識別情報読出手段と、
前記識別情報読出手段が読み出した識別情報に対応付けてあるサムネイルを前記メモリから読み出して表示に係る処理を行う表示処理手段とを備えることを特徴とする動画記録装置。
【請求項２】
前記装着部に記録媒体が装着された場合、記録媒体に識別情報が記録されているか否かを検出する検出手段を備え、
該検出手段により識別情報が記録されていることが検出された場合、前記識別情報読出手段が識別情報を読み出すようにしてある請求項１に記載の動画記録装置。
【請求項３】
前記検出手段により記録媒体に識別情報が記録されていないことが検出された場合、前記識別情報記録手段が識別情報を記録するようにしてある請求項２に記載の動画記録装置。
【請求項４】
前記識別情報記録手段は、記録媒体の前記識別情報読出手段が最初に読み出しを行う箇所に識別情報を記録するようにしてある請求項１乃至請求項３に記載の動画記録装置。
【請求項５】
動画を取得する取得手段と、記録媒体を装着する装着部と、該装着部に装着された記録媒体に前記取得手段が取得した動画を記録する動画記録手段とを備える動画記録装置において、
前記取得手段が取得した動画に基づきサムネイルを作成する作成手段と、
記録媒体に対する識別情報を受け付ける受付手段と、
前記作成手段が作成したサムネイル及び前記受付手段が受け付けた識別情報を対応付けて記憶するメモリと、
前記受付手段が受け付けた識別情報に対応付けてあるサムネイルを前記メモリから読み出して表示に係る処理を行う表示処理手段とを備えることを特徴とする動画記録装置。
【請求項６】
前記受付手段は、前記装着部に記録媒体が装着された場合に識別情報を受け付けるようにしてある請求項５に記載の動画記録装置。
【請求項７】
情報の入力を受け付ける受付部と、情報を記憶するメモリと、記録媒体を装着する装着部と、動画を取得する取得手段と、前記装着部に装着された記録媒体に前記取得手段が取得した動画を記録する動画記録手段と、前記取得手段が取得した動画に基づきサムネイルを作成する作成手段と、該作成手段が作成したサムネイルの表示に係る処理を行う表示処理手段とを備える動画記録装置を用いてサムネイルを表示するサムネイル表示方法であって、
記録媒体に識別情報を付加し、
識別情報を付加した記録媒体を前記装着部に装着し、
前記受付部で識別情報を入力し、
前記動画記録装置は、前記受付部で受け付けた入力に係る識別情報及び前記作成手段が作成したサムネイルを対応付けて前記メモリに記憶し、
記録媒体を前記装着部より取り出してから、再度、前記装着部に装着し、
前記装着部に装着した記録媒体に付加された識別情報を前記受付部で入力し、
前記動画記録装置は、前記受付部で受け付けた入力に係る識別情報に対応付けてあるサムネイルを前記メモリから読み出して前記表示処理手段でサムネイルの表示に係る処理を行うことを特徴とするサムネイル表示方法。
【発明の詳細な説明】
【技術分野】
【０００１】
本発明は、着脱可能な記録媒体に動画の記録を行い、動画からサムネイルを作成して表示することができるビデオカメラ又はビデオレコーダ等の動画記録装置に関し、また、動画記録装置を用いて動画のサムネイルを表示するサムネイル表示方法に関する。
【背景技術】
【０００２】
近年、動画を撮像することができるビデオカメラ及びＴＶ番組を録画することができるビデオレコーダ等の動画記録装置が広く普及している。動画記録装置において、動画の記録に用いられる記録媒体としては、ビデオテープ、ＤＶＤ及びブルーレイディスク等の光ディスク、半導体素子を利用したメモリカード並びにハードディスクに代表される磁気ディスク等の多種多様なものが存在している。
【０００３】
ビデオテープ、光ディスク、メモリカード又は着脱可能なハードディスク等の記録媒体を用いた場合には、記録媒体を交換することが可能であるという利点がある。これらの記録媒体の記録容量は急速に大容量化が進んでおり、また、動画の圧縮技術の改善も伴って、動画の記録可能時間は増加していく傾向にある。記録時間の増加によって、１つの記録媒体に多数の動画を記録することができるようになり、使用者が記録媒体に記録されている多数の動画から目的とする１つの動画を探すことが難しくなる。
【０００４】
使用者を補助する手段の１つとして、光ディスクに記録されたディスクＩＤ又は管理情報を用いてそれぞれの光ディスクを識別し、光ディスク毎に再生条件及び再生停止位置を記憶しておき、使用者が再生の途中で光ディスクを交換して、再度元の光ディスクに戻した場合に、再生を中断した位置から再生を再開することができる光ディスク再生装置が提案されている（特許文献１参照）。この機能により、使用者は再生を再開する場合に、再生したい動画を探し、前回再生を停止した位置を探すというような操作を行う必要がなくなる。
【特許文献１】特開２００１−３１２８５１号公報
【発明の開示】
【発明が解決しようとする課題】
【０００５】
しかしながら、特許文献１に開示された光ディスク再生装置においては、目的の動画を検索する必要がないのは、再生を停止した位置から再生を再開させる場合のみであり、使用者の動画検索の負担を軽減するということに関しては十分ではない。
【０００６】
一方、記録媒体に記録した動画から検索用の静止画を作成し、作成した静止画を並べて一覧表示する、所謂、サムネイル表示の機能を持つ動画記録装置が実用化されている。使用者は一覧表示されたサムネイルから動画の内容を推定し、カーソルキーを用いて１つのサムネイルを選択して動画の再生又は編集等の処理を行う。サムネイルを表示する機能により、使用者は視覚的な情報を元に記録媒体に記録した動画の検索を行うことができるので、多数の動画の中から簡単に目的の動画を探し出すことができ、使用者が動画の再生又は編集等の処理を行う場合、動画を検索する負担を軽減できる。動画検索の負担を軽減するという目的においては、サムネイルを表示する機能を備えることが望ましい。
【０００７】
しかし、従来はサムネイルの表示を行うためのサムネイル情報は記録媒体に記録されており、使用者が記録媒体を交換する都度、サムネイルを全て読み出して表示する構成となっている。この構成では、記録媒体にビデオテープ又は光ディスク等の読み出しに時間を要するものを用いた場合、サムネイルを全て読み出すのに数秒から十数秒程度の時間を必要とするため、サムネイルの表示に時間がかかるという問題があった。また、記録媒体を動画記録装置本体に装着しなければサムネイルの表示を行うことができないため、複数の記録媒体から目的とする動画を探し当てるには、記録媒体の交換を何度も行わなければならず、非常に時間がかかるという問題があった。
【０００８】
本発明は、斯かる事情に鑑みてなされたものであって、その目的とするところは、記録媒体に識別情報を記録し、記録された識別情報とサムネイルとを関連付けて記憶するメモリを備え、記録媒体から識別情報を読み出して、識別情報に関連付けられたサムネイルをメモリから読み出すようにすることで、例えば記録媒体がビデオテープ又は光ディスク等の読み出しが低速なものである場合に、サムネイルを記憶するメモリを半導体メモリ等の読み出しが高速なもので構成した場合は、サムネイルを高速に表示することができる動画記録装置を提供することにある。
【０００９】
また本発明の他の目的とするところは、記録媒体が装着部に装着された場合に、記録媒体に識別情報が記録してあるか否かを検出する検出手段を備え、記録媒体に既に識別情報が記録してある場合は、識別情報に関連付けられたサムネイルをメモリから読み出すようにしておくことで、自動的にサムネイルの表示を行うことができる動画記録装置を提供することにある。
【００１０】
また本発明の他の目的とするところは、装着部に装着された記録媒体に識別情報が記録されていない場合には、識別情報記録手段が識別情報を記録する構成としておくことで、新しい記録媒体を装着した場合に自動的に識別情報を付加できる動画記録装置を提供することにある。
【００１１】
また本発明の他の目的とするところは、記録媒体の最初に読み出しが行われる箇所に、識別情報記録手段が識別情報を記録するようにしておくことで、識別情報を簡単に読み出すことができる動画記録装置を提供することにある。
【００１２】
また本発明の他の目的とするところは、記録媒体の識別情報の入力を受け付ける受付手段と、受け付けた識別情報とサムネイルとを関連付けて記憶するメモリとを備え、受け付けた識別情報に関連付けられたサムネイルをメモリから読み出すようにしておくことで、例えば記録媒体がビデオテープ又は光ディスク等の読み出しが低速なものである場合に、サムネイルを記憶するメモリを半導体メモリ等の読み出しが高速なもので構成した場合は、サムネイルを高速に表示することができ、また、記録媒体を装置本体に装着せずにサムネイルの表示を行って動画の検索ができる動画記録装置を提供することにある。
【００１３】
また本発明の他の目的とするところは、記録媒体が装着部に装着された場合に、記録媒体に対する識別情報を使用者から受け付けることができる動画記録装置を提供することにある。
【００１４】
また本発明の他の目的とするところは、記録媒体に付加された識別情報とサムネイルとを関連付けて記憶するメモリを備えた動画記録装置を用いて、記録媒体の表面に記載する又は印字する等して識別情報を付加し、識別情報とサムネイルとを関連付けてメモリに記憶しておき、記録媒体を再度装着した場合に、識別情報を入力し、識別情報に関連付けられたサムネイルをメモリから読み出して表示することで、例えば記録媒体がビデオテープ又は光ディスク等の読み出しが低速なものであり、サムネイルを記憶するメモリが半導体メモリ等の読み出しが高速なもので構成されている場合は、サムネイルを高速に表示することができるサムネイル表示方法を提供することにある。
【課題を解決するための手段】
【００１５】
本発明に係る動画記録装置は、動画を取得する取得手段と、記録媒体を装着する装着部と、該装着部に装着された記録媒体に前記取得手段が取得した動画を記録する動画記録手段とを備える動画記録装置において、前記取得手段が取得した動画に基づきサムネイルを作成する作成手段と、前記装着部に装着された記録媒体に識別情報を記録する識別情報記録手段と、前記作成手段が作成したサムネイル及び前記識別情報記録手段が記録した識別情報を対応付けて記憶するメモリと、記録媒体から識別情報を読み出す識別情報読出手段と、前記識別情報読出手段が読み出した識別情報に対応付けてあるサムネイルを前記メモリから読み出して表示に係る処理を行う表示処理手段とを備えることを特徴とする。
【００１６】
本発明においては、識別情報記録手段により記録媒体に識別情報を記録し、識別情報とサムネイルとを関連付けて装置本体に備えたメモリに記憶しておき、記録媒体から識別情報を読み出し、読み出した識別情報に関連付けられたサムネイルをメモリから読み出して表示するようにして、例えば記録媒体がビデオテープ又は光ディスク等の読み出しが低速なものである場合に、サムネイルを記憶するメモリを半導体メモリ等の読み出しが高速なもので構成して、サムネイルの表示を高速に行えるようにし、使用者の動画検索を行いやすくする。
【００１７】
また本発明に係る動画記録装置は、前記装着部に記録媒体が装着された場合、記録媒体に識別情報が記録されているか否かを検出する検出手段を備え、該検出手段により識別情報が記録されていることが検出された場合、前記識別情報読出手段が識別情報を読み出すようにしてあることを特徴とする。
【００１８】
この発明においては、記録媒体が装着部に装着された場合に、記録媒体に識別情報が記録してあるか否かを検出する検出手段を備え、記録媒体に既に識別情報が記録してある場合は、識別情報に関連付けられたサムネイルをメモリから読み出すようにして、記録媒体を装着した場合に自動的にサムネイルの表示を行えるようにする。
【００１９】
また本発明に係る動画記録装置は、前記検出手段により記録媒体に識別情報が記録されていないことが検出された場合、前記識別情報記録手段が識別情報を記録するようにしてあることを特徴とする。
【００２０】
この発明においては、装着部に装着された記録媒体に識別情報が記録されていない場合には、識別情報記録手段が識別情報を記録する構成としておき、新しい記録媒体を装着した場合に自動的に識別情報を付加できるようにする。
【００２１】
また本発明に係る動画記録装置は、前記識別情報記録手段が、記録媒体の前記識別情報読出手段が最初に読み出しを行う箇所に識別情報を記録するようにしてあることを特徴とする。
【００２２】
この発明においては、記録媒体の最初に読み出しが行われる箇所に、識別情報記録手段が識別情報を記録するようにし、識別情報を簡単に読み出す。
【００２３】
また本発明に係る動画記録装置は、動画を取得する取得手段と、記録媒体を装着する装着部と、該装着部に装着された記録媒体に前記取得手段が取得した動画を記録する動画記録手段とを備える動画記録装置において、前記取得手段が取得した動画に基づきサムネイルを作成する作成手段と、記録媒体に対する識別情報を受け付ける受付手段と、前記作成手段が作成したサムネイル及び前記受付手段が受け付けた識別情報を対応付けて記憶するメモリと、前記受付手段が受け付けた識別情報に対応付けてあるサムネイルを前記メモリから読み出して表示に係る処理を行う表示処理手段とを備えることを特徴とする。
【００２４】
この発明においては、記録媒体の識別情報の入力を受け付ける受付手段と、受け付けた識別情報とサムネイルとを関連付けて記憶するメモリとを備え、受け付けた識別情報に関連付けられたサムネイルをメモリから読み出して表示するようにして、例えば記録媒体がビデオテープ又は光ディスク等の読み出しが低速なものである場合に、サムネイルを記憶するメモリを半導体メモリ等の読み出しが高速なもので構成して、サムネイルの表示を高速に行えるようにし、また、記録媒体を装置本体に装着せずにサムネイルの表示を行えるようにし、使用者の動画検索を行いやすくする。
【００２５】
また本発明に係る動画記録装置は、前記受付手段が、前記装着部に記録媒体が装着された場合に識別情報を受け付けるようにしてあることを特徴とする。
【００２６】
この発明においては、記録媒体が装着部に装着された場合に、記録媒体に対する識別情報を使用者から受け付けるようにし、新しい記録媒体に対する識別情報の入力を使用者が行いやすくする。
【００２７】
また本発明に係るサムネイル表示方法は、情報の入力を受け付ける受付部と、情報を記憶するメモリと、記録媒体を装着する装着部と、動画を取得する取得手段と、前記装着部に装着された記録媒体に前記取得手段が取得した動画を記録する動画記録手段と、前記取得手段が取得した動画に基づきサムネイルを作成する作成手段と、該作成手段が作成したサムネイルの表示に係る処理を行う表示処理手段とを備える動画記録装置を用いてサムネイルを表示するサムネイル表示方法であって、記録媒体に識別情報を付加し、識別情報を付加した記録媒体を前記装着部に装着し、前記受付部で識別情報を入力し、前記動画記録装置は、前記受付部で受け付けた入力に係る識別情報及び前記作成手段が作成したサムネイルを対応付けて前記メモリに記憶し、記録媒体を前記装着部より取り出してから、再度、前記装着部に装着し、前記装着部に装着した記録媒体に付加された識別情報を前記受付部で入力し、前記動画記録装置は、前記受付部で受け付けた入力に係る識別情報に対応付けてあるサムネイルを前記メモリから読み出して前記表示処理手段でサムネイルの表示に係る処理を行うことを特徴とする。
【００２８】
この発明においては、記録媒体の表面に記載する又は印字する等して識別情報を付加し、識別情報とサムネイルとを関連付けて装置本体に備えたメモリに記憶しておき、記録媒体を再度装着した場合に、識別情報を入力し、入力された識別情報に関連付けられたサムネイルをメモリから読み出して表示するようにして、例えば記録媒体がビデオテープ又は光ディスク等の読み出しが低速なものである場合に、サムネイルを記憶するメモリが半導体メモリ等の読み出しが高速なもので構成して、サムネイルの表示を高速に行えるようにし、使用者の動画検索を行いやすくする。
【発明の効果】
【００２９】
本発明による場合は、記録媒体に識別情報を記録し、識別情報とサムネイルとを関連付けて装置本体に備えたメモリに記憶しておき、記録媒体から識別情報を読み出して、読み出した識別情報に関連付けられたサムネイルをメモリから読み出して表示するようにしておくことで、例えば記録媒体がビデオテープ又は光ディスク等の読み出しが低速なものである場合に、サムネイルを記憶するメモリを半導体メモリ等の読み出しが高速なもので構成した場合は、サムネイルを高速に表示することができるため、使用者が記録媒体に記録されている動画の検索を行う場合の負担を軽減することができる。
【００３０】
また本発明による場合は、記録媒体が装着部に装着された場合に、記録媒体に識別情報が記録してあるか否かを検出する検出手段を備え、記録媒体に既に識別情報が記録してある場合は、識別情報に関連付けられたサムネイルをメモリから読み出すようにしておくことで、自動的にサムネイルの表示を行うことができるため、使用者が記録媒体に記録されている動画の検索を行う場合の負担を軽減することができる。
【００３１】
また本発明による場合は、装着部に装着された記録媒体に識別情報が記録されていない場合には、識別情報記録手段が識別情報を記録する構成としておくことで、新しい記録媒体を装着した場合に自動的に識別情報が記録できるため、使用者が記録媒体に記録されている動画の検索を行う場合の負担を軽減することができる。
【００３２】
また本発明による場合は、記録媒体の最初に読み出しが行われる箇所に、識別情報記録手段が識別情報を記録するようにしておくことで、識別情報を簡単に読み出すことができる。
【００３３】
また本発明による場合は、記録媒体の識別情報の入力を受け付ける受付手段と、受け付けた識別情報とサムネイルとを関連付けて記憶するメモリとを備え、受け付けた識別情報に関連付けられたサムネイルをメモリから読み出すようにしておくことで、例えば記録媒体がビデオテープ又は光ディスク等の読み出しが低速なものである場合に、サムネイルを記憶するメモリを半導体メモリ等の読み出しが高速なもので構成した場合は、サムネイルを高速に表示することができ、また、記録媒体を装置本体に装着せずにサムネイルの表示を行って検索をすることができるため、使用者が記録媒体に記録されている動画の検索を行う場合の負担を軽減することができる。
【００３４】
また本発明による場合は、記録媒体が装着部に装着された場合に、記録媒体に対する識別情報を使用者から受け付けるようにすることで、新しい記録媒体に対する識別情報の入力を使用者が行いやすくすることができる。
【００３５】
また本発明による場合は、記録媒体に付加された識別情報とサムネイルとを関連付けて記憶するメモリを備えた動画記録装置を用いて、記録媒体の表面に記載する又は印字する等して識別情報を付加し、識別情報とサムネイルとを関連付けてメモリに記憶しておき、記録媒体を再度装着した場合に、識別情報を入力し、識別情報に関連付けられたサムネイルをメモリから読み出して表示することで、例えば記録媒体がビデオテープ又は光ディスク等の読み出しが低速なものであり、サムネイルを記憶するメモリが半導体メモリ等の読み出しが高速なもので構成されている場合は、サムネイルを高速に表示することができるため、使用者が記録媒体に記録されている動画の検索を行う場合の負担を軽減することができる。
【発明を実施するための最良の形態】
【００３６】
以下、本発明を、動画記録装置としてＤＶＤビデオカメラを例に、その実施の形態を示す図面に基づき具体的に説明する。
（実施の形態１）
図１は、本発明の実施の形態１に係るＤＶＤビデオカメラの背面斜視図である。本図において１はＤＶＤドライブであり、ＤＶＤドライブ１には記録媒体としてＤＶＤディスクを装着することができ、ＤＶＤディスクに撮像した動画データの記録を行うことができる。ＤＶＤドライブ１は動画撮像部２を備える略直方体の筐体の側面に配設されており、ＤＶＤドライブ１が配設してある面の反対面には、液晶モニタ４を備える画像表示部３が枢支されている。
【００３７】
ＤＶＤビデオカメラの背面部及びその近傍には操作部５が備えてあり、操作部５は、電源スイッチ５ａ、動画データの記録を開始させる録画ボタン５ｂ、記録した動画データの再生を開始させる再生ボタン５ｃ、録画及び再生を停止させる停止ボタン５ｄ及びメニューの選択等に用いられるカーソルキー５ｅを有している。また、動画撮像部２はレンズ２ａ及びＣＣＤ２ｂを備えており、レンズ２ａは被写体からの光を集光し、レンズ２ａで集光され結像した像はＣＣＤ２ｂにてアナログの撮像信号に変換される。
【００３８】
図２は、本発明に係るＤＶＤビデオカメラの構成を示すブロック図である。本図において１１はＤＶＤビデオカメラの制御部であり、制御部１１は以下に述べる各構成要素を制御している。動画撮像部２のレンズ２ａで集光され結像した像をＣＣＤ２ｂにて変換した撮像信号は、撮像信号処理部１２へ与えられており、撮像信号処理部１２ではアナログの撮像信号をディジタルの動画データに変換し画像処理部１３へ与えている。
【００３９】
画像処理部１３は、撮像信号処理部１２にて得られた動画データの明度及び彩度等を補正し、補正した動画データをコーデック部１４へ与え、また、補正した動画データをモニタ出力用の信号に変換して画像表示部３及び画像出力部１６へ与えている。画像表示部３は液晶モニタ４を備えており、画像処理部１３から与えられたモニタ出力用の信号に基づいて液晶モニタ４に画像を表示する。画像出力部１６は、画像データを出力する出力ポートであり、外部の表示装置５１を接続することで、ＣＲＴディスプレイ又は液晶ディスプレイ等に動画データを表示することができる。コーデック部１４は、画像処理部１３から与えられた動画データを、ＭＰＥＧ２又はＭｏｔｉｏｎＪＰＧ等の圧縮伸長方式により圧縮する機能を有している。また、画像処理部１３は、圧縮された動画データを伸長する機能を有するデコーダ１５から、伸長された動画データが与えられており、デコーダ１５からの動画データを画像表示部３及び画像出力部１６へ与えることができる。更に、画像処理部１３は、制御部１１から与えられる使用者に対するメッセージ及び後述するサムネイルメモリ２１に記憶してあるサムネイル等を画像表示部３及び画像出力部１６に与えて、画像表示部３の液晶モニタ４及び画像出力部１６に接続された表示装置５１に表示することができる。
【００４０】
制御部１１には、記録媒体であるＤＶＤディスク５０にデータの書き込みを行い、またＤＶＤディスク５０からデータの読み出しを行うＤＶＤドライブ１が接続されている。ＤＶＤドライブ１は、ピックアップ１７及びモータ１８を備えており、ＤＶＤドライブ１に装着されたＤＶＤディスク５０をモータ１８により回転させ、ピックアップ１７がレーザーをＤＶＤディスク５０の表面に当てて、データの書き込み及び読み出しを行う。
【００４１】
また、制御部１１には、記憶素子であるＲＯＭ１９、ＲＡＭ２０及びサムネイルメモリ２１が接続されている。ＲＯＭ１９は、制御部１１で実行されるプログラムが記憶してあり、ＤＶＤビデオカメラの電源スイッチ５ａがオンされた場合、ＲＯＭ１９に記憶してあるプログラムを読み出して制御部１１は処理を開始する。ＲＯＭ１９は、マスクＲＯＭ又はフラッシュメモリ等の不揮発性メモリ素子で構成する。ＲＡＭ２０は、データを一時的に格納するためのメモリであり、ＤＶＤディスク５０に書き込むためにコーデック部１４が圧縮した動画データを一時的に格納しておく、又は、デコーダ１５でデコードするために、ＤＶＤディスク５０から読み込んだ動画データを一時的に格納しておく等の用途に用いられる。ＲＡＭ２０は、ＳＲＡＭ又はＳＤＲＡＭ等の揮発性のメモリ素子で構成しても、フラッシュメモリのような不揮発性のメモリ素子で構成してもよい。サムネイルメモリ２１には、ＤＶＤディスク５０に付された識別番号と、ＤＶＤディスク５０に記録されている動画データのサムネイルとが関連付けて記憶してある。サムネイルメモリ２１は、フラッシュメモリのような高速に読み出しが行える不揮発性のメモリ素子で構成する。
【００４２】
更に、制御部１１には、メモリスロット２２及び操作部５が接続されている。メモリスロット２２には、スマートメディア又はＳＤカード等の半導体メモリ５２が装着され、データの書き込み及び読み出しを行うことができる。半導体メモリ５２には、サムネイルメモリ２１に記憶してあるデータをバックアップする、又は一時的に待避する等の用途に用いることができる。操作部５には、電源スイッチ５ａ、録画ボタン５ｂ、再生ボタン５ｃ、停止ボタン５ｄ及びメニュー選択に用いるカーソルキー５ｅ等を備えており、使用者がＤＶＤビデオカメラの録画及び再生等の各機能を行う場合に用いられる。
【００４３】
動画の撮像を行う場合は、ＤＶＤディスク５０をＤＶＤドライブ１に装着した状態で、操作部５に備えられた録画ボタン５ｂを押下することで録画が開始される。被写体からの光をレンズ２ａが集光し、集光されて結像した像をＣＣＤ２ｂがアナログの撮像信号に変換し、撮像信号処理部１２にてアナログの撮像信号がディジタルの動画データに変換されて、画像処理部１３に与えられる。画像処理部１３は、動画データの明度及び彩度等を補正してコーデック部１４へ与え、コーデック部１４にて動画データの圧縮処理が行われる。コーデック部１４にて圧縮された動画データは一時的にＲＡＭ２０に格納され、制御部１１はＲＡＭ２０に格納された動画データをＤＶＤドライブ１へ与え、ＤＶＤドライブ１にてＤＶＤディスク５０に動画データが書き込まれる。
【００４４】
動画データの再生を行う場合は、ＤＶＤディスク５０をＤＶＤドライブ１に装着した状態で、操作部５に備えられた再生ボタン５ｃを押下することで再生が開始される。ＤＶＤドライブ１にて読み出された動画データは一時的にＲＡＭ２０に格納され、制御部１１はＲＡＭ２０に格納された動画データをデコーダ１５へ与える。デコーダ１５は圧縮されている動画データを伸長して画像処理部１３へ与え、画像処理部１３は与えられた動画データをモニタ出力用の信号に変換して画像表示部３及び画像出力部１６へ与える。画像表示部３に備えられた液晶モニタ４に動画が表示され、画像出力部１６に外部の表示装置５１が接続してある場合には、表示装置５１に動画が表示される。
【００４５】
本発明に係るＤＶＤビデオカメラにおいては、動画データの記録及び再生だけでなく、記録媒体であるＤＶＤディスク５０に記録してある動画データの内容を、サムネイルの一覧表示によって画像表示部３の液晶モニタ４又は画像出力部１６に接続された外部の表示装置５１に表示する機能を有している。動画データのサムネイルは、ＤＶＤディスク５０にではなく、ＤＶＤビデオカメラに備えてあるサムネイルメモリ２１に、ＤＶＤディスク５０に付された識別番号と共に、識別番号に関連付けて記憶してあり、サムネイルをサムネイルメモリ２１から読み出す構成とすることでサムネイルの読み出しを高速化している。
【００４６】
ＤＶＤディスク５０の特定領域、例えばＤＶＤディスク５０の記憶領域の先頭アドレスから数バイト分の領域または最終アドレスから数バイト分の領域等は、本実施の形態に係るＤＶＤビデオカメラにおける識別番号の書き込み領域として使用する。識別番号の書き込み領域は、ＤＶＤディスク５０をＤＶＤドライブ１に装着した場合に最初に読み出しを行うことができる箇所とすることが望ましい。また、ＤＶＤディスク５０の識別番号と共にＤＶＤビデオカメラの識別番号又は製造番号等を書き込む構成とした場合には、他のＤＶＤビデオカメラで記録したＤＶＤディスク５０を区別することができる。
【００４７】
図３は、本発明の実施の形態１に係るＤＶＤビデオカメラにおける制御部１１の識別番号の書き込み処理及びサムネイルの表示処理を示すフローチャートである。制御部１１は、ＤＶＤドライブ１にＤＶＤディスク５０が装着されたか否かを調べ（ステップＳ１）、ＤＶＤディスク５０が装着されていない場合は（Ｓ１：ＮＯ）、ＤＶＤディスク５０が装着されるまで待機する。ＤＶＤディスク５０が装着された場合（Ｓ１：ＹＥＳ）、ＤＶＤドライブ１にてＤＶＤディスク５０の特定領域に識別番号が書き込まれているか否かの検出を行う（ステップＳ２）。
【００４８】
検出の結果からＤＶＤディスク５０に識別番号が書き込まれているか否かを判断し（ステップＳ３）、識別番号が書き込まれていない場合は（Ｓ３：ＮＯ）、サムネイルメモリ２１に記憶されていない未登録の識別番号を検索して新たな識別番号を一つ決定する（ステップＳ４）。決定した識別番号をサムネイルメモリ２１に記憶させて識別番号の登録を行い（ステップＳ５）、登録した識別番号をＤＶＤドライブ１に装着されたＤＶＤディスク５０の特定領域に書き込む（ステップＳ６）。
【００４９】
ＤＶＤドライブ１に装着されたＤＶＤディスク５０に識別番号が書き込まれていた場合は（Ｓ３：ＹＥＳ）、ＤＶＤディスク５０から識別番号の読み出しを行い（ステップＳ７）、読み出した識別番号に関連付けられているサムネイルをサムネイルメモリ２１から読み出し（ステップＳ８）、読み出したサムネイルを画像処理部１３へ送って画像表示部３の液晶モニタ４又は画像出力部１６に接続された外部の表示装置５１にサムネイルを表示する（ステップＳ９）。
【００５０】
液晶モニタ４又は外部の表示装置５１に一覧表示されるサムネイルは、動画データの撮像開始時の映像を静止画として抽出したものであり、動画の撮像開始時にＤＶＤディスク５０の識別番号に関連付けて、サムネイルメモリ２１に記憶する。図４は、本発明の実施の形態１に係るＤＶＤビデオカメラにおける制御部１１の録画処理を示すフローチャートである。
【００５１】
制御部１１は、操作部５に備えられた録画ボタン５ｂが押下されたか否かを調べ（ステップＳ２１）、録画ボタン５ｂが押下されていない場合は（Ｓ２１：ＮＯ）、録画ボタン５ｂが押下されるまで待機する。録画ボタン５ｂが押下された場合は（Ｓ２１：ＹＥＳ）、ＣＣＤ２ｂ、撮像信号処理部１２、画像処理部１３及びコーデック部１４を起動して、撮像した動画データの取り込みを開始する（ステップＳ２２）。取り込みを開始すると、レンズ２ａからの映像がＣＣＤ２ｂ、撮像信号処理部１２、画像処理部１３及びコーデック部１４で順次処理され、圧縮された動画データとしてＲＡＭ２０に一時的に格納される。ＲＡＭ２０に一時的に格納された動画データから、撮像開始時の画像を静止画として抽出し（ステップＳ２３）、ＤＶＤドライブ１に装着してあるＤＶＤディスク５０の識別番号に関連付けて抽出した画像をサムネイルメモリ２１に記憶する（ステップＳ２４）。
【００５２】
動画データからサムネイルとしての静止画を抽出し、サムネイルメモリ２１に記憶した後、ＲＡＭ２０に一時的に格納してある動画データをＤＶＤドライブ１へ送り、ＤＶＤディスク５０へ書き込みを行う（ステップＳ２５）。制御部１１は操作部５に備えられた停止ボタン５ｄが押下されたか否かを調べ（ステップＳ２６）、停止ボタン５ｄが押下されていない場合は（Ｓ２６：ＮＯ）、ステップＳ２５へ戻り、ＤＶＤディスク５０へ動画データの書き込みを行い、停止ボタン５ｄが押下された場合は（Ｓ２６：ＹＥＳ）、動画データの記録処理は終了する。
【００５３】
また、ＤＶＤディスク５０に記録されている動画データの再生を行う場合は、ＤＶＤディスク５０をＤＶＤドライブ１に装着し、サムネイルを一覧表示させた状態で、操作部５のカーソルキー５ｅで複数のサムネイルから再生を行いたいものを選択し、再生ボタン５ｃを押下して再生を開始することができる。図５は、本発明の実施の形態１に係るＤＶＤビデオカメラの制御部１１における再生処理を示すフローチャートである。
【００５４】
制御部１１は、操作部５のカーソルキー５ｅ及び再生ボタン５ｃの操作により、再生を行う動画データが選択されたか否かを調べ（ステップＳ４１）、再生を行う動画データが選択されていない場合（Ｓ４１：ＮＯ）、再生を行う動画データが選択されるまで待機する。再生を行う動画データが選択された場合（Ｓ４１：ＹＥＳ）、ＤＶＤドライブ１に装着されたＤＶＤディスク５０から再生を行う動画データを探し（ステップＳ４２）、ＤＶＤディスク５０から動画データを読み出して（ステップＳ４３）、読み出した動画データをデコーダ１５にてデコードし、画像処理部１３にてモニタ出力用の信号に変換して、画像表示部３の液晶モニタ４又は画像出力部１６に接続された表示装置５１にて再生する（ステップＳ４４）。制御部１１は操作部５の停止ボタン５ｄが押下されたか否かを調べ（ステップＳ４５）、停止ボタン５ｄが押下されていない場合は（Ｓ４５：ＮＯ）、ステップＳ４３に戻って動画データの再生を継続し、停止ボタン５ｄが押下された場合は（Ｓ４５：ＹＥＳ）、動画データの再生を終了する。
【００５５】
以上のように構成されたＤＶＤビデオカメラにおいては、動画データの記録及び再生を行うことができ、更に記録媒体であるＤＶＤディスク５０に記録してある動画データのサムネイルをサムネイルメモリ２１に記憶しておくことで、ＤＶＤディスク５０をＤＶＤドライブ１に装着した場合に、ＤＶＤディスク５０に記録してある動画データの内容を使用者に対して高速にサムネイルを用いて一覧表示することができる。
【００５６】
なお、本発明の実施の形態１においては、ＤＶＤディスク５０に識別番号を書き込む構成を示したが、これに限らず、例えばＤＶＤディスク５０に製造番号が予め書き込まれている場合には、製造番号を識別番号として用いてもよい。また、サムネイルメモリ２１を独立したメモリ素子で構成したが、ＲＡＭ２０を不揮発性のメモリ素子で構成した場合には、ＲＡＭ２０の特定領域をサムネイルを記憶する領域として用いる構成であってもよい。また、動画の撮像開始時の映像を静止画として抽出してサムネイルを作成するとしたが、これに限らず、撮像開始時から一定時間後の映像又は撮像終了時から一定時間前の映像等、他の映像を抽出してサムネイルを作成してもよい。また、動画データから静止画であるサムネイルを作成してサムネイルメモリ２１に記憶しておく構成を示したが、これに限らず、動画データから再生時間が数秒程度の動画データを作成してサムネイルメモリ２１に記憶しておき、これを一覧表示する構成としてもよい。また、サムネイルをサムネイルメモリ２１のみに記憶しておく構成を示したが、ＤＶＤディスク５０にも記録しておいてもよい。
【００５７】
（実施の形態２）
実施の形態１においては、ＤＶＤディスク５０の識別番号をＤＶＤドライブ１にてＤＶＤディスク５０に書き込んでおき、ＤＶＤディスク５０の装着時に識別番号を自動的に読み出す構成を示したが、本実施の形態においては、使用者が入力手段を用いて識別番号を入力する構成を示す。図６は、本発明の実施の形態２に係るＤＶＤビデオカメラの背面斜視図である。
【００５８】
本図におけるＤＶＤビデオカメラは、実施の形態１に係るＤＶＤビデオカメラの操作部５に、サムネイル表示ボタン５ｆ及びテンキー５ｇを更に備えた構成としてある。サムネイル表示ボタン５ｆは、サムネイルメモリ２１に記憶されているサムネイルを表示させるためのボタンであり、ＤＶＤドライブ１にＤＶＤディスク５０が装着されているか否かに関わらずサムネイルの表示を行うことができる。テンキー５ｇは数値を入力するためのキーであり、新規のＤＶＤディスク５０の識別番号を入力する場合及びサムネイル表示を行うＤＶＤディスク５０の識別番号を入力する場合等に用いられる。
【００５９】
ＤＶＤディスク５０の識別番号は、使用者が重複しないよう任意の値を決めることができ、使用者が入力した識別番号と動画データから作成したサムネイルとを関係付けてサムネイルメモリ２１に記憶するようにしてある。なお、ＤＶＤディスク５０の識別番号は、例えばＤＶＤディスク５０のラベル面に印字する、又は、識別番号の記載してあるシールを貼る等の方法で、使用者が認識できるようにしておくことが望ましい。使用者が識別番号を認識できるようにしておくことで、サムネイルメモリ２１に記憶してあるサムネイルを、ＤＶＤディスク５０を装着せずに識別番号を元に一覧表示させて検索を行うことができ、また、サムネイルメモリ２１に記憶してあるサムネイルを全て表示させて、目的の動画データが記録されているＤＶＤディスク５０を識別番号を元に探すことができる。
【００６０】
新規のＤＶＤディスク５０の識別番号の決定及びサムネイルの表示は、ＤＶＤドライブ１にＤＶＤディスク５０を装着することで行うことができる。図７は、本発明の実施の形態２に係るＤＶＤビデオカメラにおけるＤＶＤドライブ１にＤＶＤディスク５０を装着した場合の制御部１１の処理を示すフローチャートである。
【００６１】
制御部１１は、ＤＶＤドライブ１にＤＶＤディスク５０が装着されたか否かを調べ（ステップＳ６１）、ＤＶＤディスク５０が装着されていない場合（Ｓ６１：ＮＯ）、ＤＶＤディスク５０が装着されるまで待機する。ＤＶＤドライブ１にＤＶＤディスク５０が装着された場合（Ｓ６１：ＹＥＳ）、画像表示部３の液晶モニタ４又は画像出力部１６に接続された外部の表示装置５１に、ＤＶＤディスク５０の識別番号の入力を要求する旨のメッセージを表示するよう、画像処理部１３へ表示命令を与えて、識別番号入力要求メッセージを表示する（ステップＳ６２）。
【００６２】
図８は、本発明に係るＤＶＤビデオカメラの画像表示部３で表示されるメッセージの表示例である。図８において、（ａ）はＤＶＤディスクの識別番号入力要求メッセージの表示例であり、ＤＶＤディスク５０の識別番号を使用者が操作部５のテンキー５ｇによって入力することができるようにしてある。また、（ｂ）は後述するサムネイルの表示方法選択メッセージの表示例であり、サムネイルの表示方法を全表示又は特定表示のどちらにするかを、使用者が操作部５のカーソルキー５ｅによって選択することができるようにしてある。また、（ｃ）は後述するＤＶＤディスク装着要求メッセージの表示例であり、指定された識別番号のＤＶＤディスク５０をＤＶＤドライブ１に装着するよう使用者に要求する旨のメッセージが表示される。
【００６３】
液晶モニタ４又は外部の表示装置５１にＤＶＤディスク５０の識別番号入力要求のメッセージを表示することで、使用者に識別番号の入力を促しており、使用者は操作部５に備えられたテンキー５ｇを用いてＤＶＤドライブ１に装着したＤＶＤディスク５０の識別番号を入力することができる。
【００６４】
制御部１１は、使用者がＤＶＤディスク５０の識別番号を入力したか否かを調べ（ステップＳ６３）、識別番号が入力されていない場合は（Ｓ６３：ＮＯ）、ステップＳ６２へ戻り、識別番号入力要求メッセージを表示して識別番号が入力されるまで待機する。識別番号が入力された場合は（Ｓ６３：ＹＥＳ）、入力された識別番号がサムネイルメモリ２１に記憶された登録済みの識別番号であるか否かを調べる（ステップＳ６４）。入力された識別番号がサムネイルメモリ２１に登録されていない場合（Ｓ６４：ＮＯ）、入力された識別番号を新たにサムネイルメモリ２１に登録する（ステップＳ６５）。入力された識別番号が登録済みであった場合（Ｓ６４：ＹＥＳ）、入力された識別番号に関連付けられているサムネイルをサムネイルメモリ２１から読み出し（ステップＳ６６）、読み出したサムネイルを画像処理部１３へ送って画像表示部３の液晶モニタ４又は画像出力部１６に接続された外部の表示装置５１にサムネイルを表示する（ステップＳ６７）。
【００６５】
また、本実施の形態に係るＤＶＤビデオカメラにおいては、ＤＶＤドライブ１にＤＶＤディスク５０を装着することなく、サムネイルメモリ２１に記憶してあるサムネイルを表示させて、動画データの検索を行うことができる。使用者は、ＤＶＤディスク５０を装着せずに動画データの検索を行いたい場合は、操作部５に備えられたサムネイル表示ボタン５ｆを押下することで、サムネイルの表示を要求することができる。また、サムネイルの表示は、サムネイルメモリ２１に記憶してあるサムネイルを識別番号別に全て表示する全表示の方法と、使用者がＤＶＤディスク５０の識別番号を入力して特定のＤＶＤディスク５０に記録されている動画データのサムネイルのみ表示する特定表示の方法とを選択することができる。図９及び図１０は、本発明の実施の形態２に係るＤＶＤビデオカメラにおいてサムネイルを表示させて動画データを再生する場合の制御部１１の処理を示すフローチャートである。
【００６６】
制御部１１は、操作部５のサムネイル表示ボタン５ｆが押下されたか否かを調べ（ステップＳ８１）、サムネイル表示ボタン５ｆが押下されていない場合は（Ｓ８１：ＮＯ）、サムネイル表示ボタン５ｆが押されるまで待機する。サムネイル表示ボタン５ｆが押下された場合（Ｓ８１：ＹＥＳ）、サムネイルの表示方法の選択を要求する旨のメッセージを表示するよう、画像処理部１３へ表示命令を与えて、画像表示部３の液晶モニタ４又は画像出力部１６に接続された外部の表示装置５１に表示方法選択メッセージを表示する（ステップＳ８２）。
【００６７】
ステップＳ８２にて、図８（ｂ）に示す表示方法選択メッセージを表示することによって、使用者に選択を要求することができ、使用者は操作部５のカーソルキー５ｅを用いて、サムネイルメモリ２１に記憶してあるサムネイルを全表示させるか、特定のＤＶＤディスク５０に記録してある動画データのサムネイルのみをサムネイルメモリ２１から読み出して表示させるかを選択することができる。
【００６８】
制御部１１は、表示方法選択メッセージを表示した後、表示方法が選択されたか否かを調べ（ステップＳ８３）、表示方法が選択されていない場合は（Ｓ８３：ＮＯ）、ステップＳ８２へ戻り、表示方法選択メッセージを表示して表示方法が選択されるまで待機する。表示方法が選択された場合は（Ｓ８３：ＹＥＳ）、使用者が選択したサムネイルの表示方法が、全表示であるか否かを調べ（ステップＳ８４）、全表示が選択されていなかった場合（Ｓ８４：ＮＯ）、サムネイル表示を行うＤＶＤディスク５０の識別番号の入力を要求する旨のメッセージを表示するよう、画像処理部１３へメッセージ表示命令を与えて、画像表示部３の液晶モニタ４又は画像出力部１６に接続された外部の表示装置５１に識別番号入力要求メッセージを表示する（ステップＳ８５）。
【００６９】
識別番号入力要求メッセージを表示した後、検索を行うＤＶＤディスク５０の識別番号が入力されたか否かを調べ（ステップＳ８６）、識別番号が入力されていない場合は（Ｓ８６：ＮＯ）、ステップＳ８５へ戻り、識別番号入力要求メッセージを表示して識別番号が入力されるまで待機する。識別番号が入力された場合は（Ｓ８６：ＹＥＳ）、入力された識別番号が既にサムネイルメモリ２１に登録されている識別番号か否かを調べ（ステップＳ８７）、識別番号がサムネイルメモリ２１に登録されていない場合（Ｓ８７：ＮＯ）、ステップＳ８５へ戻って識別番号の入力を要求するメッセージを再度表示する。
【００７０】
ステップＳ８４にてサムネイルの表示方法として全表示が選択されていた場合（Ｓ８４：ＹＥＳ）及びステップＳ８７にて入力された識別番号がサムネイルメモリ２１に登録されていた場合（Ｓ８７：ＹＥＳ）、全表示が選択さていればサムネイルメモリ２１からサムネイルを全て読み出し、また、特定表示が選択されていれば入力された識別番号に関連付けられたサムネイルを読み出す（ステップＳ８８）。読み出したサムネイルは画像処理部１３へ送り、画像表示部３の液晶モニタ４又は画像出力部１６に接続された外部の表示装置５１にサムネイルを表示する（ステップＳ８９）。
【００７１】
図１１は、本発明に係るＤＶＤビデオカメラの画像表示部３で表示されるサムネイルの表示例である。図１１において、（ａ）はサムネイルメモリ２１に記憶してあるサムネイルを全表示する方法を選択した場合であり、（ｂ）は入力した識別番号に関連付けて記憶してあるサムネイルのみを表示する特定表示の方法を選択した場合である。
【００７２】
図１１（ａ）の場合、各ＤＶＤディスク５０毎にサムネイルを液晶モニタ４の画面の左右方向に一列に表示しており、サムネイルが多数記憶されていて液晶モニタ４の画面内に表示できないときは、操作部５のカーソルキー５ｅで左右方向にサムネイルの列をスクロールさせて検索を行うようにしてある。また、複数のＤＶＤディスク５０の識別番号及びサムネイルが登録されている場合は、液晶モニタ４の画面の上下方向に識別番号順にサムネイルの列を表示しており、登録数が多くて液晶モニタ４の画面内に表示できないときは、操作部５のカーソルキー５ｅで上下方向にスクロールさせて検索を行うようにしてある。
【００７３】
図１１（ｂ）の場合、入力された識別番号のＤＶＤディスク５０に記録されている動画データのサムネイルを複数列に亘って表示する。サムネイルが多数記憶されていて液晶モニタ４の画面内に表示できないときは、操作部５のカーソルキー５ｅで画面の上下方向にスクロールさせて検索を行うようにしてある。
【００７４】
画像表示部３の液晶モニタ４又は画像出力部１６に接続された外部の表示装置５１にサムネイルが一覧表示された後、使用者は操作部５のカーソルキー５ｅを操作して一つのサムネイルを選択し、再生ボタン５ｃを押下することで動画データの選択を確定し、再生を行うことができる。
【００７５】
サムネイルを表示した後、制御部１１は再生ボタン５ｃが押下されて再生する動画データが選択されたか否かを調べ（ステップＳ９０）、選択されていない場合は（Ｓ９０：ＮＯ）、ステップＳ８９に戻って動画データが選択されるまでサムネイルを表示して待機する。再生する動画データが選択された場合（Ｓ９０：ＹＥＳ）、選択されたサムネイルに関する動画データが記録されているＤＶＤディスク５０を装着するよう使用者に要求するメッセージを表示するため、画像処理部１３に表示命令を与えて、画像表示部３の液晶モニタ４又は画像出力部１６に接続された表示装置５１にＤＶＤディスク装着要求メッセージを表示する（ステップＳ９１）。
【００７６】
ステップＳ９１にて、図８（ｃ）に示すＤＶＤディスク装着要求メッセージを表示することによって、選択された動画データが記録してあるＤＶＤディスク５０の装着を、使用者に識別番号を示して要求することができ、使用者は再生を行いたい動画データが記録してあるＤＶＤディスク５０を識別番号を元に探し、ＤＶＤドライブ１に装着して再生を行う。
【００７７】
制御部１１は、ＤＶＤディスク装着要求メッセージを表示した後、ＤＶＤドライブ１にＤＶＤディスク５０が装着されたか否かを調べ（ステップＳ９２）、ＤＶＤディスク５０が装着されていなければ（Ｓ９２：ＮＯ）、ステップＳ９１へ戻り、ＤＶＤディスク装着要求メッセージを表示してＤＶＤディスク５０が装着されるまで待機する。ＤＶＤドライブ１にＤＶＤディスク５０が装着された場合（Ｓ９２：ＹＥＳ）、装着されたＤＶＤディスク５０に記録してある動画データから、再生を行う動画データの検索を行い（ステップＳ９３）、装着されたＤＶＤディスク５０に再生を行う動画データが記録されているか否かを調べる（ステップＳ９４）。装着されたＤＶＤディスク５０から再生を行う動画データが検出できなかった場合（Ｓ９４：ＮＯ）、ステップＳ９１へ戻ってＤＶＤディスク装着要求メッセージを再度表示し、再生を行う動画データが記録されていた場合（Ｓ９４：ＹＥＳ）、検出した動画データの読み出しを行う（ステップＳ９５）。読み出した動画データはデコーダ１５にてデコードし、画像処理部１３にてモニタ出力用の信号に変換して、画像表示部３の液晶モニタ４又は画像出力部１６に接続された表示装置５１にて再生する（ステップＳ９６）。制御部１１は操作部５の停止ボタン５ｄが押下されたか否かを調べ（ステップＳ９７）、停止ボタン５ｄが押下されていない場合は（Ｓ９７：ＮＯ）、ステップＳ９５に戻って動画データの再生を継続し、停止ボタン５ｄが押下された場合は（Ｓ９７：ＹＥＳ）、動画データの再生を終了する。
【００７８】
以上のように構成されたＤＶＤビデオカメラにおいては、動画データの記録及び再生を行うことができ、更に記録媒体であるＤＶＤディスク５０に記録してある動画データのサムネイルをサムネイルメモリ２１に記憶しておくことで、ＤＶＤディスク５０に記録してある動画データの内容を使用者に対して高速にサムネイルを用いて一覧表示することができ、また、ＤＶＤディスク５０をＤＶＤドライブ１に装着しなくてもＤＶＤディスク５０に記録してある動画データの内容をサムネイルを用いて一覧表示することができる。
【００７９】
実施の形態２に係るＤＶＤビデオカメラのその他の構成は、実施の形態１に係るＤＶＤビデオカメラの構成と同様であるため、同様の箇所には同じ符号を付して詳細な説明を省略する。
【００８０】
なお、本実施の形態においては、ＤＶＤディスク５０を識別番号を用いて識別する構成を示したが、これに限らず、例えば識別名を用いて識別してもよい。また、ＤＶＤディスク５０の識別番号を使用者が決定する構成としたが、これに限らず、例えばＤＶＤディスク５０がＤＶＤドライブ１に装着されたときの日時をタイムスタンプとしてサムネイルメモリ２１に記憶する構成であってもよい。また、ＤＶＤディスク５０の識別番号の入力を、操作部５に備えたテンキー５ｇを用いて行う構成としたが、これに限らず、画像表示部３の液晶モニタ４にソフトウェア的なテンキーを表示して操作部５に備えたカーソルキー５ｅで入力する、又はサムネイルメモリ２１に登録してある識別番号の一覧を画像表示部３の液晶モニタ４に表示して、操作部５に備えたカーソルキー５ｅで選択する等の他の構成としてもよい。また、サムネイルの表示を操作部５に備えたサムネイル表示ボタン５ｆを用いて行う構成としたが、これに限らず、例えば画像表示部３の液晶モニタ４にメニューを表示し、メニューからサムネイル表示の項目を選択する構成としてもよい。
【００８１】
また、本実施の形態においては、識別番号を記録媒体であるＤＶＤディスク５０には記録せず、使用者が操作部５から入力するのみの構成を示したが、識別番号をＤＶＤディスク５０に書き込む機能を更に備えてもよい。この場合、新しい記録媒体が装着されたときに、使用者に識別番号を入力させ、入力された識別番号を記録媒体に記録する。識別番号が記録された記録媒体が装着されたときは、自動的に識別番号を読み出してサムネイルメモリ２１からサムネイルを読み出して表示する。使用者は記録媒体を装着した場合に識別番号を入力する必要がなく、入力した識別番号を記録媒体の表面に記載して、使用者が認識できるようにしておいた場合には、使用者は記録媒体を装置本体に装着せずに、識別番号を入力してサムネイルの表示を行うことができ、また、サムネイルメモリ２１に記憶してあるサムネイルを全て表示させて目的の動画データが記録されている記録媒体を識別番号を元に探すことができる。
【００８２】
また、本発明の実施の形態においては動画記録装置としてＤＶＤビデオカメラについての構成を示したが、これに限るものではなく、ビデオテープ又は半導体メモリ等の他の記録媒体に動画データを記録するビデオカメラであっても同様の構成を適用することができ、また、ビデオカメラではなく、ビデオテープ、ＤＶＤディスク又はブルーレイディスク等の記録媒体にＴＶ番組を録画するビデオレコーダであっても同様の構成を適用することができる。
【図面の簡単な説明】
【００８３】
【図１】本発明の実施の形態１に係るＤＶＤビデオカメラの背面斜視図である。
【図２】本発明に係るＤＶＤビデオカメラの構成を示すブロック図である。
【図３】本発明の実施の形態１に係るＤＶＤビデオカメラにおける制御部の識別番号の書き込み処理及びサムネイルの表示処理を示すフローチャートである。
【図４】本発明の実施の形態１に係るＤＶＤビデオカメラにおける制御部の録画処理を示すフローチャートである。
【図５】本発明の実施の形態１に係るＤＶＤビデオカメラの制御部における再生処理を示すフローチャートである。
【図６】本発明の実施の形態２に係るＤＶＤビデオカメラの背面斜視図である。
【図７】本発明の実施の形態２に係るＤＶＤビデオカメラにおけるＤＶＤドライブにＤＶＤディスクを装着した場合の制御部の処理を示すフローチャートである。
【図８】本発明に係るＤＶＤビデオカメラの画像表示部で表示されるメッセージの表示例である。
【図９】本発明の実施の形態２に係るＤＶＤビデオカメラにおいてサムネイルを表示させて動画データを再生する場合の制御部の処理を示すフローチャートである。
【図１０】本発明の実施の形態２に係るＤＶＤビデオカメラにおいてサムネイルを表示させて動画データを再生する場合の制御部の処理を示すフローチャートである。
【図１１】本発明に係るＤＶＤビデオカメラの画像表示部で表示されるサムネイルの表示例である。
【符号の説明】
【００８４】
１  ＤＶＤドライブ
２  動画撮像部
３  画像表示部
５  操作部
５ｆ  サムネイル表示ボタン
１１  制御部
１３  画像処理部
１４  コーデック部
１５  デコーダ
２１  サムネイルメモリ
５０  ＤＶＤディスク
【図１】
2006180101.tif 000003
【図２】
2006180101.tif 000004
【図３】
2006180101.tif 000005
【図４】
2006180101.tif 000006
【図５】
2006180101.tif 000007
【図６】
2006180101.tif 000008
【図７】
2006180101.tif 000009
【図８】
2006180101.tif 000010
【図９】
2006180101.tif 000011
【図１０】
2006180101.tif 000012
【図１１】
2006180101.tif 000013